【手続補正書】
【提出日】令和1年12月19日(2019.12.19)
【手続補正１】
【補正対象書類名】明細書
【補正対象項目名】０００３
【補正方法】変更
【補正の内容】
【０００３】
従来のＬＴＥシステムにおいて、端末がずっとダウンリンクシステム帯域幅全体においてＰＤＣＣＨをブラインド検出し、このため、端末の消費電力がより大きい。特に第５世代移動通信（５Ｇ：５−Ｇｅｎｅｒａｔｉｏｎ）システム及び後続のシステム帯域幅がより広い移動通信システムにおいて、キャリアの帯域幅が極めて広く、例えば２００ＭＨｚに達する可能性がある。端末が依然として、ＬＴＥシステム、すなわち第４世代移動通信（４Ｇ：４−Ｇｅｎｅｒａｔｉｏｎ）システムと同様に、帯域幅全体においてＰＤＣＣＨを受信する場合、端末の消費電力が極めて高い。マシンタイプ通信（ＭＴＣ：Ｍａｃｈｉｎｅ  Ｔｙｐｅ  Ｃｏｍｍｕｎｉｃａｔｉｏｎｓ）をサポートする端末は、１．４ＭＨｚすなわち６つのＰＲＢ帯域幅においてダウンリンク信号を復調することができる。このようなタイプの端末は、ダウンリンク帯域幅が狭くなるため、端末の消費電力を節約した。しかしながら、このような端末はより狭い帯域幅、例えば６つのＰＲＢにおいて動作しかできず、このため、端末の機能が大きく制限されている。例えば、セルラーシステムにおいて、端末はダウンリンクチャネルのチャネル状態情報（ＣＳＩ：Ｃｈａｎｎｅｌ  Ｓｔａｔｅ  Ｉｎｆｏｒｍａｔｉｏｎ）を測定して、基地局へフィードバックする必要がある。基地局は端末がフィードバックしたＣＳＩをダウンリンクデータをスケジューリングする重要な根拠とする。端末によるダウンリンクチャネルのＣＳＩの測定は一般的にダウンリンク基準信号、例えばＣＲＳ又はＣＳＩ−ＲＳを測定することにより完了し、この２種類のダウンリンク基準信号は基地局がシステム帯域幅全体において送信したものであるため、正確なダウンリンクチャネルのＣＳＩを取得することが困難であり、従って、狭帯域幅において動作している端末がダウンリンクチャネルのＣＳＩを測定するという問題を解決する必要がある。
【手続補正２】
【補正対象書類名】明細書
【補正対象項目名】００５０
【補正方法】変更
【補正の内容】
【００５０】
本発明の実施例又は従来技術の技術案をより明確に説明するために、以下に実施例の記述において必要な図面について簡単に説明を行うが、明らかに、以下に記載する図面は単に本発明の実施例の一例であって、当業者であれば、創造的な労力を払わない前提で、これらの図面に基づいて他の図面に相当し得る。
【図１】図１は本発明の実施例における通信システムのアーキテクチャの模式図である。
【図２】図２は本発明の測定方法の第１実施例のフローチャートである。
【図３】図３は本発明の測定方法の第２実施例のフローチャートである。
【図４】図４は本発明の実施例の図３に示す方法でダウンリンク基準信号を測定する模式図である。
【図５】図５は本発明の測定方法の第３実施例のフローチャートである。
【図６】図６は本発明の測定方法の第４実施例のフローチャートである。
【図７】図７は本発明の測定方法の第５実施例のフローチャートである。
【図８】図８は本発明の測定方法の第６実施例のフローチャートである。
【図９】図９は本発明の測定方法の第７実施例のフローチャートである。
【図１０】図１０は本発明の基地局の第１実施例の構成模式図である。
【図１１】図１１は本発明の基地局の第２実施例の構成模式図である。
【図１２】図１２は本発明の端末の第１実施例の構成模式図である。
【図１３】図１３は本発明の端末の第２実施例の構成模式図である。
【手続補正３】
【補正対象書類名】明細書
【補正対象項目名】００５２
【補正方法】変更
【補正の内容】
【００５２】
人々の通信ニーズの高まりに伴い、通信技術が迅速に発展しており、より広い帯域幅、より速いアップ・ダウンリンク伝送速度等をユーザーに提供することができる。例えば、５Ｇシステムにおいて、２００ＭＨｚまで広いシステム帯域幅を提供することができる。しかしながら、システム帯域幅の拡大に伴い、端末がより広いシステム帯域幅においてＰＤＣＣＨを受信すれば、端末の消費電力がより高く、端末がずっとより狭い帯域幅において動作すれば、システム性能に影響を与え、端末が正常にダウンリンクチャネルのＣＳＩを測定することが不可能になるため、ダウンリンクデータの伝送に影響を与えてしまう。従って、本発明の実施例は端末がシステム帯域幅より狭い狭帯域幅に切り替えて動作することが可能で、端末の消費電力を減少させるとともに、ダウンリンクチャネルのＣＳＩを測定する必要があるとき、システム帯域幅に切り替えてダウンリンク基準信号を測定することにより、ダウンリンクチャネルのＣＳＩを取得する測定方法を提供する。説明の都合上、本発明の実施例において５Ｇシステムを例として説明し、当業者であれば、本発明の実施例の実施形態は同様に従来の通信システム及び将来の更に高いレベル例えば６Ｇ、７Ｇの通信システムに適用されてもよく、本発明の実施例は制限しないと理解すべきである。
【手続補正４】
【補正対象書類名】明細書
【補正対象項目名】００５４
【補正方法】変更
【補正の内容】
【００５４】
図１は本発明の実施例における通信システムのアーキテクチャの模式図である。基地局及び少なくとも１つの端末を備えてもよく、端末はユーザー装置（ＵＥ：Ｕｓｅｒ  Ｅｑｕｉｐｍｅｎｔ）と称されてもよい。
【手続補正５】
【補正対象書類名】明細書
【補正対象項目名】００６２
【補正方法】変更
【補正の内容】
【００６２】
前記狭帯域幅受信モードに入る時間は前記狭帯域幅受信モードに入る開始時間を含む以外に、更に前記狭帯域幅受信モードに入る終了時間を含んでもよく、端末は指定された開始時間に狭帯域幅受信モードに入って、指定された終了時間にシステム帯域幅に切り替えて情報を受信することができる。
【手続補正６】
【補正対象書類名】明細書
【補正対象項目名】００６３
【補正方法】変更
【補正の内容】
【００６３】
選択肢として、基地局は高層シグナリング例えば無線リソース制御プロトコル（ＲＲＣ：Ｒａｄｉｏ  Ｒｅｓｏｕｒｃｅ  Ｃｏｎｔｒｏｌ）又は物理層シグナリング例えばＤＣＩによって、端末が狭帯域幅のみを受信するモードに切り替えるように指示することができる。基地局は端末の狭帯域幅受信モードの具体的な開始時刻及び狭帯域幅の周波数帯での具体的な位置を指示することができる。このように、端末は該切替メッセージに基づいて指定された狭帯域幅に切り替えて情報を受信することができる。狭帯域幅受信モードにおいて、端末は自体の無線周波数帯域幅をシステムが端末の受信するように指示する周波数域幅、すなわち指定された狭帯域幅にチューニング（ｒｅｔｕｎｅ）することができる。例えば、基地局の指示した端末の狭帯域幅が６つのＰＲＢ（１５Ｋ  Ｈｚサブキャリア間隔を例とすれば、１．４ＭＨｚである）である場合、端末は自体の無線周波数帯域幅をシステムの指示した狭帯域幅の位置する周波数帯位置の６つのＰＲＢにチューニングする。この時、端末がこの６つのＰＲＢにおける信号のみを受信できる。受信された無線周波数帯域幅が減少するため、端末が節電効果を実現できる。端末はより広いシステム帯域幅において信号を検出する必要がなく、システム帯域幅より狭い狭帯域幅において信号を受信し信号を検出すればよく、端末の作業量を減少させ、端末の消費電力を減少させ、端末の信号受信効率を向上させる。
【手続補正７】
【補正対象書類名】明細書
【補正対象項目名】００７３
【補正方法】変更
【補正の内容】
【００７３】
Ｓ３０２、基地局は前記端末のダウンリンク基準信号を測定するための測定パラメータを設定し、前記測定パラメータを前記端末に送信する。
【手続補正８】
【補正対象書類名】明細書
【補正対象項目名】００７７
【補正方法】変更
【補正の内容】
【００７７】
図４は本発明の実施例の図３に示す方法でダウンリンク基準信号を測定する模式図であり、基地局はダウンリンク基準信号を測定する周期及び周期内に前記ダウンリンク基準信号を測定するための時間帯情報を設定することができる。例えばＴ１〜Ｔ１＋Ｌが１つの完全な周期であり、Ｔ３〜Ｔ４がダウンリンク基準信号を測定する時間帯である。Ｌが１４ｍｓであり、Ｔ３〜Ｔ４がその中の第５ｍｓ〜第１２ｍｓを占有すると仮定する場合、各周期内に、基地局はいずれも端末がシステム帯域幅に切り替えてダウンリンク基準信号を測定するようにスケジューリングすることができる。当然ながら、基地局は更に端末が狭帯域幅にある時間帯情報を設定することができる。例えば、図４に示すように、基地局は端末がＴ１〜Ｔ２時間に狭帯域幅受信モードにあるが、Ｔ３〜Ｔ４時間にシステム帯域幅にチューニングしてダウンリンク基準信号を測定し、Ｔ４〜Ｔ１＋Ｌ時間に狭帯域幅受信モードに戻ると予め設定してもよい。時間Ｔ２〜Ｔ３は端末が狭帯域幅からシステム帯域幅にチューニングする時間間隔である。Ｔ４〜Ｔ１＋Ｌは端末がシステム帯域幅から狭帯域幅にチューニングする時間である。Ｌは測定の周期の長さである。
【手続補正９】
【補正対象書類名】明細書
【補正対象項目名】００８５
【補正方法】変更
【補正の内容】
【００８５】
Ｓ６０２、基地局は前記端末のダウンリンク基準信号を測定するための測定パラメータを設定し、前記測定パラメータを前記端末に送信する。
【手続補正１０】
【補正対象書類名】特許請求の範囲
【補正対象項目名】全文
【補正方法】変更
【補正の内容】
【特許請求の範囲】
【請求項１】
測定方法であって、
基地局は狭帯域幅受信モードの切替メッセージを端末に送信し、指定された狭帯域幅に切り替えて情報を受信するように前記端末に指示し、前記狭帯域幅の幅がシステム帯域幅の幅より小さいことと、
ダウンリンクチャネルのチャネル状態情報を測定する必要がある場合、前記基地局は前記端末がシステム帯域幅に切り替えてダウンリンク基準信号を測定するようにスケジューリングすることと、を含むことを特徴とする測定方法。
【請求項２】
前記測定方法は、更に、
前記狭帯域幅における物理ダウンリンク制御チャネルにおいて前記端末に対するダウンリンク制御情報を送信することと、
前記ダウンリンク制御情報が前記端末に対応する端末特定検索空間にあって前記端末に対応する制御チャネルユニット集約レベルを使用することと、を含むことを特徴とする請求項１に記載の測定方法。
【請求項３】
ダウンリンクチャネルのチャネル状態情報を測定する必要がある場合、前記基地局が前記端末がシステム帯域幅に切り替えてダウンリンク基準信号を測定するようにスケジューリングすることは、
基地局が前記端末の前記ダウンリンク基準信号を測定するための測定パラメータを設定し、前記測定パラメータを前記端末に送信し、前記測定パラメータは前記端末が前記ダウンリンク基準信号を測定するための周期及び前記端末が前記周期内に前記ダウンリンク基準信号を測定するための時間帯情報を含み、前記周期は前記端末が前記狭帯域幅受信モードに入って、システム帯域幅に切り替えてダウンリンク基準信号を測定して再び前記狭帯域幅受信モードに入る時間長さを含むことと、
前記測定パラメータに基づいて、前記端末がシステム帯域幅に切り替えてダウンリンク基準信号を測定するようにスケジューリングすることと、を含むことを特徴とする請求項１に記載の測定方法。
【請求項４】
前記測定パラメータに基づいて、前記端末がシステム帯域幅に切り替えてダウンリンク基準信号を測定するようにスケジューリングする前に、更に、
前記狭帯域幅の物理ダウンリンク制御チャネルにおいて、前記端末が前記測定パラメータに基づいてシステム帯域幅に切り替えてダウンリンク基準信号を測定するようにトリガーするためのトリガー信号を送信することを含むことを特徴とする請求項３に記載の測定方法。
【請求項５】
前記基地局が前記端末のために設定した測定パラメータは少なくとも２つの異なる設定を含み、前記測定パラメータを前記端末に送信するとき、前記狭帯域幅の物理ダウンリンク制御チャネルで前記測定パラメータの設定状況を前記端末に指示し、
現在使用中の測定パラメータを修正する必要がある場合、前記基地局は前記狭帯域幅の物理ダウンリンク制御チャネルで他の設定された測定パラメータを使用して測定するように前記端末に指示することを特徴とする請求項３又は４に記載の測定方法。
【請求項６】
測定方法であって、
端末は基地局から送信された狭帯域幅受信モードの切替メッセージを受信し、指定された狭帯域幅に切り替えて情報を受信し、前記狭帯域幅の幅がシステム帯域幅の幅より小さいことと、
ダウンリンクチャネルのチャネル状態情報を測定する必要がある場合、前記基地局のスケジューリングによってシステム帯域幅に切り替えてダウンリンク基準信号を測定することと、を含むことを特徴とする測定方法。
【請求項７】
前記測定方法は、更に、
前記狭帯域幅における物理ダウンリンク制御チャネルにおいて前記端末に対するダウンリンク制御情報を受信することと、
前記ダウンリンク制御情報が前記端末に対応する端末特定検索空間にあって前記端末に対応する制御チャネルユニット集約レベルを使用することと、を含むことを特徴とする請求項６に記載の測定方法。
【請求項８】
ダウンリンクチャネルのチャネル状態情報を測定する必要がある場合、前記基地局のスケジューリングによってシステム帯域幅に切り替えてダウンリンク基準信号を測定することは、
前記基地局が設定された、前記端末が前記ダウンリンク基準信号を測定するための測定パラメータを受信し、前記測定パラメータは前記端末が前記ダウンリンク基準信号を測定するための周期及び前記端末が前記周期内に前記ダウンリンク基準信号を測定するための時間帯情報を含み、前記周期は前記端末が前記狭帯域幅受信モードに入って、システム帯域幅に切り替えてダウンリンク基準信号を測定して再び前記狭帯域幅受信モードに入る時間長さを含むことと、
前記測定パラメータに基づいてシステム帯域幅に切り替えてダウンリンク基準信号を測定することと、を含むことを特徴とする請求項６に記載の測定方法。
【請求項９】
前記測定パラメータに基づいてシステム帯域幅に切り替えてダウンリンク基準信号を測定する前に、更に、
前記基地局が前記狭帯域幅の物理ダウンリンク制御チャネルにおいて送信した、前記端末が前記測定パラメータに基づいてシステム帯域幅に切り替えてダウンリンク基準信号を測定するようにトリガーするためのトリガー信号を受信することを含むことを特徴とする請求項８に記載の測定方法。
【請求項１０】
前記基地局が前記端末のために設定した測定パラメータは少なくとも２つの異なる設定を含み、前記測定パラメータを受信するとき、前記狭帯域幅の物理ダウンリンク制御チャネルの指示によって前記測定パラメータの設定状況を決定し、
前記基地局が現在使用中の測定パラメータを修正する必要がある場合、前記基地局が前記狭帯域幅の物理ダウンリンク制御チャネルを介して送信した、他の設定された測定パラメータを使用して測定するように前記端末に指示する情報を受信することを特徴とする請求項８又は９に記載の測定方法。
【請求項１１】
基地局であって、
狭帯域幅受信モードの切替メッセージを端末に送信し、指定された狭帯域幅に切り替えて情報を受信するように前記端末に指示することに用いられ、前記狭帯域幅の幅がシステム帯域幅の幅より小さい送信ユニットと、
ダウンリンクチャネルのチャネル状態情報を測定する必要がある場合、前記端末がシステム帯域幅に切り替えてダウンリンク基準信号を測定するようにスケジューリングするためのスケジューリングユニットと、を備えることを特徴とする基地局。
【請求項１２】
前記送信ユニットは、更に、前記狭帯域幅における物理ダウンリンク制御チャネルにおいて前記端末に対するダウンリンク制御情報を送信し、
前記ダウンリンク制御情報が前記端末に対応する端末特定検索空間にあって前記端末に対応する制御チャネルユニット集約レベルを使用することに用いられることを特徴とする請求項１１に記載の基地局。
【請求項１３】
前記スケジューリングユニットは、具体的に、
前記端末が前記ダウンリンク基準信号を測定するための測定パラメータを設定し、前記測定パラメータを前記端末に送信し、前記測定パラメータは前記端末が前記ダウンリンク基準信号を測定するための周期及び前記端末の前記周期内に前記ダウンリンク基準信号を測定するための時間帯情報を含み、前記周期は前記端末が前記狭帯域幅受信モードに入って、システム帯域幅に切り替えてダウンリンク基準信号を測定して再び前記狭帯域幅受信モードに入る時間長さを含み、
前記測定パラメータに基づいて、前記端末がシステム帯域幅に切り替えてダウンリンク基準信号を測定するようにスケジューリングすることに用いられることを特徴とする請求項１１に記載の基地局。
【請求項１４】
前記測定パラメータに基づいて、前記端末がシステム帯域幅に切り替えてダウンリンク基準信号を測定するようにスケジューリングする前に、前記送信ユニットは、更に、前記狭帯域幅の物理ダウンリンク制御チャネルにおいて、前記端末が前記測定パラメータに基づいてシステム帯域幅に切り替えてダウンリンク基準信号を測定するようにトリガーするためのトリガー信号を送信することに用いられることを特徴とする請求項１３に記載の基地局。
【請求項１５】
前記基地局が前記端末のために設定した測定パラメータは少なくとも２つの異なる設定を含み、前記送信ユニットは、更に、前記測定パラメータを前記端末に送信するとき、前記狭帯域幅の物理ダウンリンク制御チャネルで前記測定パラメータの設定状況を前記端末に指示することに用いられ、
現在使用中の測定パラメータを修正する必要がある場合、前記スケジューリングユニットは、更に、前記狭帯域幅の物理ダウンリンク制御チャネルで他の設定された測定パラメータを使用して測定するように前記端末に指示することに用いられることを特徴とする請求項１３又は１４に記載の基地局。
【請求項１６】
端末であって、
基地局から送信された狭帯域幅受信モードの切替メッセージを受信し、指定された狭帯域幅に切り替えて情報を受信することに用いられ、前記狭帯域幅の幅がシステム帯域幅の幅より小さい受信ユニットと、
ダウンリンクチャネルのチャネル状態情報を測定する必要がある場合、前記基地局のスケジューリングによってシステム帯域幅に切り替えてダウンリンク基準信号を測定するための切替ユニットと、を備えることを特徴とする端末。
【請求項１７】
前記受信ユニットは、更に、前記狭帯域幅における物理ダウンリンク制御チャネルにおいて前記端末に対するダウンリンク制御情報を受信し、
前記ダウンリンク制御情報が前記端末に対応する端末特定検索空間にあって前記端末に対応する制御チャネルユニット集約レベルを使用することに用いられることを特徴とする請求項１６に記載の端末。
【請求項１８】
前記受信ユニットは、具体的に、前記基地局が設定された、前記端末が前記ダウンリンク基準信号を測定するための測定パラメータを受信することに用いられ、前記測定パラメータは前記端末が前記ダウンリンク基準信号を測定するための周期及び前記端末が前記周期内に前記ダウンリンク基準信号を測定するための時間帯情報を含み、前記周期は前記端末が前記狭帯域幅受信モードに入って、システム帯域幅に切り替えてダウンリンク基準信号を測定して再び前記狭帯域幅受信モードに入る時間長さを含み、
前記切替ユニットは、具体的に、
前記測定パラメータに基づいてシステム帯域幅に切り替えてダウンリンク基準信号を測定することに用いられることを特徴とする請求項１６に記載の端末。
【請求項１９】
前記切替ユニットが前記測定パラメータに基づいてシステム帯域幅に切り替えてダウンリンク基準信号を測定する前に、前記受信ユニットは、更に、
前記基地局が前記狭帯域幅の物理ダウンリンク制御チャネルにおいて送信した、前記端末が前記測定パラメータに基づいてシステム帯域幅に切り替えてダウンリンク基準信号を測定するようにトリガーするためのトリガー信号を受信することに用いられることを特徴とする請求項１８に記載の端末。
【請求項２０】
前記基地局が前記端末のために設定した測定パラメータは少なくとも２つの異なる設定を含み、前記受信ユニットが前記測定パラメータを受信するとき、前記切替ユニットは、更に、前記狭帯域幅の物理ダウンリンク制御チャネルの指示によって前記測定パラメータの設定状況を決定することに用いられ、
前記基地局が現在使用中の測定パラメータを修正する必要がある場合、前記受信ユニットは、更に、前記基地局が前記狭帯域幅の物理ダウンリンク制御チャネルを介して送信した、他の設定された測定パラメータを使用して測定するように前記端末に指示する情報を受信することに用いられることを特徴とする請求項１８又は１９に記載の端末。